(57)【要約】【課題】  システム構成が簡易でシステム全体のコストの低い拡張性の優れた光ネットワークシステムを構築する。【解決手段】  ノード４Ａ、４Ｂ、４Ｃ、４Ｄは互いに異なる波長の光信号をネットワーク光ファイバ３から取り出すとともに、互いに異なる波長の光信号をネットワーク光ファイバ３へ送出する。コントローラ５は、ネットワーク光ファイバ３を介して受信した光信号をそれに含まれる送信先のアドレス情報を元に送信先のノードに割り当てられた波長の光信号に変換し、変換後の光信号をネットワーク光ファイバ３へ出力する。【選択図】        図１
2004166304.tif 000002
【特許請求の範囲】
【請求項１】
リング状に張られたネットワーク光ファイバと、
前記ネットワーク光ファイバに接続され、前記ネットワーク光ファイバを伝送する光信号から予め割り当てられた波長の光信号を取り出すとともに予め割り当てられた波長の光信号を前記ネットワーク光ファイバへ出力するものであって、予め割り当てられた波長が互いに異なる複数のノード装置と、
前記ネットワーク光ファイバ、及び外部装置との通信に用いられる外部光ファイバに接続されているコントローラとを備えており、
前記コントローラは、前記ノード装置から前記ネットワーク光ファイバを介して受信した光信号、及び前記外部装置から前記外部光ファイバを介して受信した光信号を電気信号に変換し、前記電気信号に含まれている送信先情報から送信先を特定し、前記電気信号を送信先の前記ノード装置毎に予め割り当てられている波長及び前記外部光ファイバに接続された前記外部装置用に予め定められた特定の波長のいずれかの波長を有する光信号に変換し、送信先が前記ノード装置であるときには変換後の光信号を前記ネットワーク光ファイバへ出力し、送信先が前記外部装置であるときには変換後の光信号を外部光ファイバへ出力することを特徴とする光ネットワークシステム。
【請求項２】
リング状に張られたネットワーク光ファイバを介して前記ネットワーク光ファイバから取り出す光信号の波長が互いに異なるとともに前記ネットワーク光ファイバへ挿入する光信号の波長が互いに異なるように波長が予め割り当てられている複数のノード装置に接続されているとともに、外部光ファイバを介して外部装置に接続されており、
前記ネットワーク光ファイバを介して受信した光信号を波長に応じて分波する分波器と、
前記分波器により分波された各光信号を電気信号に変換する複数の内部用光−電気信号変換器と、
前記外部装置から前記外部光ファイバを介して受信した光信号を電気信号に変換する外部用光−電気変換器と、
前記内部用光−電気変換器及び前記外部用光−電気変換器のいずれかにより変換された前記電気信号に含まれている送信先情報から送信先を特定する送信先特定手段と、
前記送信先特定手段により特定された送信先の各装置に応じて前記電気信号を出力する
電気スイッチと、
前記電気スイッチから出力された電気信号のうち、複数の前記ノード装置の夫々に対応する電気信号を、前記ノード装置に予め割り当てられている波長の光信号に変換する複数の内部用電気−光変換器と、
複数の前記内部用電気−光変換器により変換される波長の異なる複数の光信号を合波し前記ネットワーク光ファイバへ出力する合波器と、
前記電気スイッチから出力された電気信号のうち、前記外部装置に対応する電気信号を、前記外部光ファイバに接続された前記外部装置用に定められている特定の波長の光信号に変換する外部用電気−光変換器とを備えていることを特徴とするコントローラ。
【発明の詳細な説明】
【技術分野】
【０００１】
本発明は、光ネットワークシステムに関し、更に詳しくは光波長多重伝送を行う光ネットワークシステムに関する。
【背景技術】
【０００２】
ローカルエリアネットワーク（Local Area Network：ＬＡＮ）、ミディアムエリアネットワーク（Medium Area Network：ＭＡＮ）などにおいて、それらに接続される複数のパーソナルコンピュータ間のデータ転送は電気信号を用いた電気通信により行われてきた。ところが、近年の転送すべき情報量の増加に伴って電気通信ではその通信容量の限界に達することも予想され、電気通信より通信容量の大きい光ファイバを用いた光通信によりデータ転送を行うシステムに関する研究開発が活発に行われるようになってきている。その一つに特許文献１に開示されたシステムがある。
【０００３】
特許文献１に開示されたシステムは、リング状の光ファイバと、光ファイバに接続され、アドレスとして互いに異なる波長が割り当てられた４個のノードとを備えており、ノードに接続されたノード外装置間でデータ転送を行うものである。
【０００４】
ここで、特許文献１に開示されたシステムのデータ転送の概略を記す。送信元のノードにおいて、ノード外装置からの電気信号が送信先のノードに割り当てられた波長の光信号に変換され、変換後の光信号がその波長の存在しないタイムスロット内に挿入されて光ファイバへ出力される。光ファイバへ出力された光信号は送信元のノードと送信先のノードとの間に存在するノードをそのまま通過する。送信先のノードにおいて、ノードに設けられた光波長選択スイッチは光ファイバを伝送中の光信号から自ノードに割り当てられた波長の光信号をノード内に取り込む。
【０００５】
【特許文献１】特開平５−１４２８３号公報（図１）
【発明の開示】
【発明が解決しようとする課題】
【０００６】
ところが、上述したように各ノードにおいて自ノード以外の全てのノードに割り当てられた波長の光信号を発生させるシステム構成とする必要があるため、新たなノードを増設するに際して、増設前から設けられていたノードが増設されたノードに割り当てられた波長の光信号を発生することができるように増設前から設けられていた各ノードを調整する必要があり、ノードの増設に適したシステム構成になっていないなど、システムの拡張性に優れているとは言い難いものであった。
【０００７】
又、各ノードが自ノード以外のノードに割り当てられた全ての波長の光信号を出力することができるように各ノードを構成する必要があるとともに、複数のノードから同じノードへデータを転送する場合に起こる同じ波長の光信号の衝突を回避することができるように各ノードを構成する必要があるため、ノードの構成が複雑になり、ノードのコストが高くなるなどの問題点があった。
【０００８】
本発明は、高速通信可能な通信容量の大きい光ネットワークシステムにおいて、システム構成が簡易でシステム全体のコストの低い拡張性の優れた光ネットワークシステムを提供することを目的とする。
【課題を解決するための手段及び効果】
【０００９】
本発明の光ネットワークシステムは、リング状に張られたネットワーク光ファイバと、前記ネットワーク光ファイバに接続され、前記ネットワーク光ファイバを伝送する光信号から予め割り当てられた波長の光信号を取り出すとともに予め割り当てられた波長の光信号を前記ネットワーク光ファイバへ出力するものであって、予め割り当てられた波長が互いに異なる複数のノード装置と、前記ネットワーク光ファイバ、及び外部装置との通信に用いられる外部光ファイバに接続されているコントローラとを備えており、前記コントローラは、前記ノード装置から前記ネットワーク光ファイバを介して受信した光信号、及び前記外部装置から前記外部光ファイバを介して受信した光信号を電気信号に変換し、前記電気信号に含まれている送信先情報から送信先を特定し、前記電気信号を送信先の前記ノード装置毎に予め割り当てられている波長及び前記外部光ファイバに接続された前記外部装置用に予め定められた特定の波長のいすれかの波長を有する光信号に変換し、送信先が前記ノード装置であるときには変換後の光信号を前記ネットワーク光ファイバへ出力し、送信先が前記外部装置であるときには変換後の光信号を外部光ファイバへ出力する。
【００１０】
本発明によれば、コントローラは受信した光信号（送信元のノード装置に割り当てられた波長の光信号）を送信先のノード装置に割り当てられた波長の光信号に変換してネットワーク光ファイバへ送出するため、各ノード装置は自ノードに割り当てられた一の波長の光信号のみを出力することができればノード装置間のデータ転送を行うことができる。従って、各ノード装置が他のノード装置に割り当てられた波長の光信号の全てを出力できるように各ノード装置を構成しなければならないシステムに比べ、ノード装置のコストを低く抑えることができ、この結果、光ネットワークシステム全体のコストをも低く抑えることが可能である。
又、ノード装置が当該ノード装置に割り当てられた波長の光信号をネットワーク光ファイバへ出力する際に同じ波長の光信号の衝突が起こることがなく、同じ波長の光信号の衝突を考慮して各ノード装置を構成する必要がないため、ノード装置を容易に製作することができる。
更に、光ネットワークシステムの構築後にノード装置を新たに追加する場合、追加するノード装置のみを増設すればよく、既に設置されていたノード装置を調節する必要はないため、ノード装置の数が多い場合でも増設が容易であり、光ネットワークシステムの拡張性に優れている。
加えて、外部光ファイバを介して外部装置と接続されているため、光ネットワークシステム内のノード装置から光ネットワークシステムの外部へのデータ転送及び光ネットワークシステムの外部から光ネットワークシステム内のノード装置へのデータ転送を容易に実現することができる。
【００１１】
別の観点において本発明のコントローラは、リング状に張られたネットワーク光ファイバを介して前記ネットワーク光ファイバから取り出す光信号の波長が互いに異なるとともに前記ネットワーク光ファイバへ挿入する光信号の波長が互いに異なるように波長が予め割り当てられている複数のノード装置に接続されているとともに、外部光ファイバを介して外部装置に接続されており、前記ネットワーク光ファイバを介して受信した光信号を波長に応じて分波する分波器と、前記分波器により分波された各光信号を電気信号に変換する複数の内部用光−電気信号変換器と、前記外部装置から前記外部光ファイバを介して受信した光信号を電気信号に変換する外部用光−電気変換器と、前記内部用光−電気変換器及び前記外部用光−電気変換器のいずれかにより変換された前記電気信号に含まれている送信先情報から送信先を特定する送信先特定手段と、前記送信先特定手段により特定された送信先の各装置に応じて前記電気信号を出力する電気スイッチと、前記電気スイッチから出力された電気信号のうち、複数の前記ノード装置の夫々に対応する電気信号を、前記ノード装置に予め割り当てられている波長の光信号に変換する複数の内部用電気−光変換器と、複数の前記内部用電気−光変換器により変換される波長の異なる複数の光信号を合波し前記ネットワーク光ファイバへ出力する合波器と、前記電気スイッチから出力された電気信号のうち、前記外部装置に対応する電気信号を、前記外部光ファイバに接続された前記外部装置用に定められている特定の波長の光信号に変換する外部用電気−光変換器とを備えている。
【００１２】
本発明によれば、簡単な構成でネットワーク光ファイバを介して受信した光信号を当該光信号に含まれる送信先情報に対応する送信先のノード装置及び外部装置に予め割り当てられた波長の光信号に変換することができる。
又、簡単な構成で外部光ファイバを介して受信した光信号を当該光信号に含まれる送信先情報に対応する送信先のノード装置及び外部装置に予め割り当てられた波長の光信号に変換することができる。
【発明を実施するための最良の形態】
【００１３】
以下、本発明の実施の形態に係る光ネットワークシステムについて図１から図６を参照しつつ説明する。
【００１４】
まず、本発明の実施の形態に係る光ネットワークシステムの全体構成について図１を参照しつつ説明する。但し、図１は本実施の形態に係る光ネットワークシステムの全体構成を示すシステム構成図である。
【００１５】
図１に示す光ネットワークシステム１は、光ネットワークシステム１と外部とをつなぐ光ファイバ（以下、外部光ファイバという。）２、光ネットワークシステム１内にリング状に張られたシングルモード光ファイバ（以下、ネットワーク光ファイバという。）３、４つのノード４（４Ａ、４Ｂ、４Ｃ、４Ｄ）、及びコントローラ５を備えており、ノード４Ａ、４Ｂ、４Ｃ、４Ｄはコントローラ５の出力側から順にネットワーク光ファイバ３に接続されている。そして、光信号はネットワーク光ファイバ３内を矢印ａ方向に伝送する。
【００１６】
但し、各ノード４Ａ、４Ｂ、４Ｃ、４Ｄがネットワーク光ファイバ３から取り出す光信号の波長が互いに異なるように各ノード４Ａ、４Ｂ、４Ｃ、４Ｄは設計されているとともに、各ノード４Ａ、４Ｂ、４Ｃ、４Ｄがネットワーク光ファイバ３に挿入する光信号の波長が自ノードがネットワーク光ファイバ３から取り出す光信号の波長と同じになるように設計されている。尚、ノード４Ａ、４Ｂ、４Ｃ、４Ｄが、夫々、ネットワーク光ファイバ３から取り出し／挿入する光信号の波長をλＡ、λＢ、λＣ、λＤとし、例えば、波長λＡ、λＢ、λＣ、λＤとして、１．５５（μｍ）帯を利用するものとし、波長λＡを１．５３（μｍ）、波長λＢを１．５４（μｍ）、波長λＣを１．５５（μｍ）、波長λＤを１．５６（μｍ）とする。
【００１７】
次に、図１の光ネットワークシステムを構成する各ノード４の装置構成について図２を参照しつつ説明する。但し、図２は図１に全体構成を示した光ネットワークシステムを構成するノードの構成図である。
【００１８】
図２に示すノード４は、波長選択性を有するファイバグレーティング６、光−電気変換器（以下、Ｏ／Ｅ変換器という。）７、電気−光変換器（以下、Ｅ／Ｏ変換器という。）８、及び結合器９を備えている。そして、パーソナルコンピュータやデジタルテレビなどの機器（以下、接続機器という。）１１は、入出力インターフェースボード（以下、Ｉ／Ｆボードという。）１０を介してノード４に接続される。即ち、ノード４Ａ、４Ｂ、４Ｃ、４Ｄは、夫々、ファイバグレーティング６Ａ、６Ｂ、６Ｃ、６Ｄ、Ｏ／Ｅ変換器７Ａ、７Ｂ、７Ｃ、７Ｄ、Ｅ／Ｏ変換器８Ａ、８Ｂ、８Ｃ、８Ｄ、及び結合器９Ａ、９Ｂ、９Ｃ、９Ｄを備えている。そして、接続機器１１Ａ、１１Ｂ、１１Ｃ、１１Ｄは、夫々、Ｉ／Ｆボード１０Ａ、１０Ｂ、１０Ｃ、１０Ｄを介してノード４Ａ、４Ｂ、４Ｃ、４Ｄに接続される。
【００１９】
以下において、ノード４Ａ、４Ｂ、４Ｃ、４Ｄの順で、その構成要素の詳細にについて説明する。
ノード４Ａ内のファイバグレーティング６Ａは、その入力側がネットワーク光ファイバ３を介してコントローラ５の出力側（図３参照）につながっており、ネットワーク光ファイバ３を伝送する波長λＡ、λＢ、λＣ、λＤの光信号から波長λＡの光信号を取り出し、取り出した波長λＡの光信号をＯ／Ｅ変換器７Ａへ送出する。又、ファイバグレーティング６Ａは、ネットワーク光ファイバ３を伝送する波長λＡ、λＢ、λＣ、λＤの光信号のうち波長λＢ、λＣ、λＤの光信号をスルーして結合器９Ａへ送出する。
Ｏ／Ｅ変換器７Ａは波長λＡの光信号を電気信号に変換するフォトダイオード（以下、ＰＤという。）を備えており、ファイバグレーティング６Ａから送られてくる波長λＡの光信号を電気信号に変換し、変換後の電気信号をＩ／Ｆボード１０Ａを介して接続機器１１Ａへ出力する。
【００２０】
Ｅ／Ｏ変換器８Ａは、電気信号を波長λＡの光信号に変換するレーザダイオード（以下、ＬＤという。）を備えており、Ｉ／Ｆボード１０Ａを介して接続機器１１Ａから入力される電気信号を波長λＡの光信号に変換し、変換後の光信号を結合器９Ａへ出力する。
結合器９Ａは、ファイバグレーティング６Ａをスルーしてきた波長λＢ、λＣ、λＤの光信号とＥ／Ｏ変換器８Ａから入力される波長λＡの光信号とをネットワーク光ファイバ３へ出力する。
【００２１】
ノード４Ｂ内のファイバグレーティング６Ｂは、その入力側がネットワーク光ファイバ３を介してノード４Ａ内の結合器９Ａの出力側につながっており、ネットワーク光ファイバ３を伝送する波長λＡ、λＢ、λＣ、λＤの光信号から波長λＢの光信号を取り出し、取り出した波長λＢの光信号をＯ／Ｅ変換器７Ｂへ送出する。又、ファイバグレーティング６Ｂは、ネットワーク光ファイバ３を伝送する波長λＡ、λＢ、λＣ、λＤの光信号のうち波長λＡ、λＣ、λＤの光信号をスルーして結合器９Ｂへ送出する。
Ｏ／Ｅ変換器７Ｂは波長λＢの光信号を電気信号に変換するＰＤを備えており、ファイバグレーティング６Ｂから送られてくる波長λＢの光信号を電気信号に変換し、変換後の電気信号をＩ／Ｆボード１０Ｂを介して接続機器１１Ｂへ出力する。
【００２２】
Ｅ／Ｏ変換器８Ｂは、電気信号を波長λＢの光信号に変換するＬＤを備えており、Ｉ／Ｆボード１０Ｂを介して接続機器１１Ｂから入力される電気信号を波長λＢの光信号に変換し、変換後の光信号を結合器９Ｂへ出力する。
結合器９Ｂは、ファイバグレーティング６Ｂをスルーしてきた波長λＡ、λＣ、λＤの光信号とＥ／Ｏ変換器８Ｂから入力される波長λＢの光信号とをネットワーク光ファイバ３へ出力する。
【００２３】
ノード４Ｃ内のファイバグレーティング６Ｃは、その入力側がネットワーク光ファイバ３を介してノード４Ｂ内の結合器９Ｂの出力側につながっており、ネットワーク光ファイバ３を伝送する波長λＡ、λＢ、λＣ、λＤの光信号から波長λＣの光信号を取り出し、取り出した波長λＣの光信号をＯ／Ｅ変換器７Ｃへ送出する。又、ファイバグレーティング６Ｃは、ネットワーク光ファイバ３を伝送する波長λＡ、λＢ、λＣ、λＤの光信号のうち波長λＡ、λＢ、λＤの光信号をスルーして結合器９Ｃへ送出する。
Ｏ／Ｅ変換器７Ｃは波長λＣの光信号を電気信号に変換するＰＤを備えており、ファイバグレーティング６Ｃから送られてくる波長λＣの光信号を電気信号に変換し、変換後の電気信号をＩ／Ｆボード１０Ｃを介して接続機器１１Ｃへ出力する。
【００２４】
Ｅ／Ｏ変換器８Ｃは、電気信号を波長λＣの光信号に変換するＬＤを備えており、Ｉ／Ｆボード１０Ｃを介して接続機器１１Ｃから入力される電気信号を波長λＣの光信号に変換し、変換後の光信号を結合器９Ｃへ出力する。
結合器９Ｃは、ファイバグレーティング６Ｃをスルーしてきた波長λＡ、λＢ、λＤの光信号とＥ／Ｏ変換器８Ｃから入力される波長λＣの光信号とをネットワーク光ファイバ３へ出力する。
【００２５】
ノード４Ｄ内のファイバグレーティング６Ｄは、その入力側がネットワーク光ファイバ３を介してノード４Ｃ内の結合器９Ｃの出力側につながっており、ネットワーク光ファイバ３を伝送する波長λＡ、λＢ、λＣ、λＤの光信号から波長λＤの光信号を取り出し、取り出した波長λＤの光信号をＯ／Ｅ変換器７Ｄへ送出する。又、ファイバグレーティング６Ｄは、ネットワーク光ファイバ３を伝送する波長λＡ、λＢ、λＣ、λＤの光信号のうち波長λＡ、λＢ、λＣの光信号をスルーして結合器９Ｄへ送出する。
Ｏ／Ｅ変換器７Ｄは波長λＤの光信号を電気信号に変換するＰＤを備えており、ファイバグレーティング６Ｄから送られてくる波長λＤの光信号を電気信号に変換し、変換後の電気信号をＩ／Ｆボード１０Ｄを介して接続機器１１Ｄへ出力する。
【００２６】
Ｅ／Ｏ変換器８Ｄは、電気信号を波長λＤの光信号に変換するＬＤを備えており、Ｉ／Ｆボード１０Ｄを介して接続機器１１Ｄから入力される電気信号を波長λＤの光信号に変換し、変換後の光信号を結合器９Ｄへ出力する。
結合器９Ｄは、ファイバグレーティング６Ｄをスルーしてきた波長λＡ、λＢ、λＣの光信号とＥ／Ｏ変換器８Ｄから入力される波長λＤの光信号とをネットワーク光ファイバ３へ出力する。
【００２７】
次に、図１の光ネットワークシステムを構成するコントローラ５の装置構成について図３を参照しつつ説明する。但し、図３は図１に全体構成を示した光ネットワークシステムを構成するコントローラの構成図である。
【００２８】
図３に示すコントローラ５は、分波器１２、Ｏ／Ｅ変換器１３Ａ、１３Ｂ、１３Ｃ、１３Ｄ、１３ＩＮ、Ｅ／Ｏ変換器１４Ａ、１４Ｂ、１４Ｃ、１４Ｄ、１４ＯＵＴ、合波器１５、メモリ１６、制御部１７、及び電気スイッチ１８を備えている。
分波器１２は、ノード４Ｄの結合器９Ｄの出力側にネットワーク光ファイバ３を介して接続されており、分波器１２はネットワーク光ファイバ３から受け取った光信号を波長ごとに分波し、波長λＡ、λＢ、λＣ、λＤの光信号を夫々Ｏ／Ｅ変換器１３Ａ、１３Ｂ、１３Ｃ、１３Ｄへ出力する。
【００２９】
Ｏ／Ｅ変換器１３Ａは、波長λＡの光信号を電気信号に変換するＰＤを備えており、分波器１２から送られてくる波長λＡの光信号を電気信号に変換し、変換後の電気信号を制御部１７へ出力する。又、Ｏ／Ｅ変換器１３Ｂは波長λＢの光信号を電気信号に変換するＰＤを備えており、分波器１２から送られてくる波長λＢの光信号を電気信号に変換し、変換後の電気信号を制御部１７へ出力する。更に、Ｏ／Ｅ変換器１３Ｃは波長λＣの光信号を電気信号に変換するＰＤを備えており、分波器１２から送られてくる波長λＣの光信号を電気信号へ出力し、変換後の電気信号を制御部１７へ出力する。更に、Ｏ／Ｅ変換器１３Ｄは波長λＤの光信号を電気信号に変換するＰＤを備えており、分波器１２から送られてくる波長λＤの光信号を電気信号に変換し、変換後の電気信号を制御部１７へ出力する。
【００３０】
Ｏ／Ｅ変換器１３ＩＮは、波長λ０の光信号を電気信号に変換するＰＤを備えており、外部光ファイバ２を介して受け取った波長λ０の光信号を電気信号に変換し、変換後の電気信号を制御部１７へ出力する。尚、例えば、波長λ０は１．３（μｍ）帯である。
【００３１】
Ｅ／Ｏ変換器１４Ａは、電気信号を波長λＡの光信号に変換するＬＤを備えており、電気スイッチ１８を介して制御部１７から受け取った電気信号を波長λＡの光信号に変換し、変換後の光信号を合波器１５へ出力する。又、Ｅ／Ｏ変換器１４Ｂは、電気信号を波長λＢの光信号に変換するＬＤを備えており、電気スイッチ１８を介して制御部１７から受け取った電気信号を波長λＢの光信号に変換し、変換後の光信号を合波器１５へ出力する。更に、Ｅ／Ｏ変換器１４Ｃは、電気信号を波長λＣの光信号に変換するＬＤを備えており、電気スイッチ１８を介して制御部１７から受け取った電気信号を波長λＣの光信号に変換し、変換後の光信号を合波器１５へ出力する。更に、Ｅ／Ｏ変換器１４Ｄは、電気信号を波長λＤの光信号に変換するＬＤを備えており、電気スイッチ１８を介して制御部１７から受け取った電気信号を波長λＤの光信号に変換し、変換後の光信号を合波器１５へ出力する。
【００３２】
Ｅ／Ｏ変換器１４ＯＵＴは、電気信号を波長λ０の光信号に変換するＬＤを備えており、電気スイッチ１８を介して制御部１７から受け取った電気信号を波長λ０の光信号に変換して、変換後の光信号を外部光ファイバ２へ出力する。
合波器１５は、Ｅ／Ｏ変換器１４Ａ、１４Ｂ、１４Ｃ、１４Ｄから送られてくる波長λＡ、λＢ、λＣ、λＤの光信号を合波してネットワーク光ファイバ３へ出力する。
【００３３】
メモリ１６には、ノード４Ａ、４Ｂ、４Ｃ、４Ｄのアドレス情報と、電気信号をノード４Ａ、４Ｂ、４Ｃ、４Ｄに予め割り当てられている波長λＡ、λＢ、λＣ、λＤの光信号に変換するＥ／Ｏ変換器１４Ａ、１４Ｂ、１４Ｃ、１４Ｄとを対応させるデータが格納されているとともに、外部用のアドレスと、外部用のＥ／Ｏ変換器１４ＯＵＴとを対応させるデータが格納されている。
【００３４】
制御部１７は、送信先特定手段としての機能を備えたものであって、各Ｏ／Ｅ変換器１３Ａ、１３Ｂ、１３Ｃ、１３Ｄ、１３ＩＮから入力される電気信号からアドレス情報を読み出し、読み出したアドレス情報を解析し、メモリ１６に格納されている情報及び解析されたアドレス情報を基にＥ／Ｏ変換器１４Ａ、１４Ｂ、１４Ｃ、１４Ｄ、１４ＯＵＴの中から電気信号に含まれるアドレス情報に対応するＥ／Ｏ変換器を特定する。さらに、制御部１７は、特定したＥ／Ｏ変換器に電気信号が出力されるように電気スイッチ１８を制御する。
電気スイッチ１８は、制御部１７によりスイッチ制御されるものである。尚、これにより、電気信号が制御部１７から電気信号に含まれるアドレス情報に対応するＥ／Ｏ変換器へ出力される。
【００３５】
以下、上述した光ネットワークシステム１における各種データ転送処理について説明する。
まず、上述した光ネットワークシステム１における接続機器１１間のデータ転送処理について図４を参照しつつ説明する。但し、図４は光ネットワークシステム内のノードに接続された接続機器間のデータ転送処理を示すフローチャートである。
【００３６】
ステップＳ１０１において、送信元のノード４に接続された接続機器１１により送信先のノード４に送信する動画像データなどの送信情報（送信先のアドレス情報を含む）に関する電気信号が作成され、作成された電気信号がＩ／Ｆボード１０を介してＥ／Ｏ変換器８へ出力される。
ステップＳ１０２において、Ｅ／Ｏ変換器８はステップＳ１０１でＩ／Ｆボード１０を介して受け取った電気信号を、送信元のノード４に予め割り当てられた波長の光信号に変換し、変換した光信号を結合器９へ出力する。
【００３７】
ステップＳ１０３において、結合器９はステップＳ１０２でＥ／Ｏ変換器８から受け取った光信号をネットワーク光ファイバ３へ出力する。
以上、ステップＳ１０１からステップＳ１０３の一連の処理により、送信元のノード４に接続された接続機器１１で作成された送信情報が送信元のノード４に予め割り当てられた波長の光信号に変換されてネットワーク光ファイバ３へ出力される。
【００３８】
ステップＳ１０４において、送信元のノード４によってネットワーク光ファイバ３へ出力された光信号は送信元のノード４とコントローラ５間に存在するノード４をスルーし、コントローラ５に到達する。
【００３９】
ステップＳ１０５において、コントローラ５内の分波器１２は、ネットワーク光ファイバ３を介して受け取った光信号を波長ごとに分波し、分波後の光信号を当該光信号の波長に対応するＯ／Ｅ変換器１３Ａ、１３Ｂ、１３Ｃ、１３Ｄへ出力する。
ステップＳ１０６において、Ｏ／Ｅ変換器１３Ａ、１３Ｂ、１３Ｃ、１３ＤのうちステップＳ１０５で分波器１２から光信号を受け取ったＯ／Ｅ変換器は受け取った光信号を電気信号に変換し、変換後の電気信号を制御部１７へ出力する。
【００４０】
ステップＳ１０７において、制御部１７はステップＳ１０６でＯ／Ｅ変換器１３Ａ、１３Ｂ、１３Ｃ、１３Ｄの少なくとも一つから受け取った電気信号に含まれるアドレス情報を解析し、メモリ１６に格納されている情報及び解析されたアドレス情報を基に電気信号に含まれるアドレス情報に対応するＥ／Ｏ変換器をＥ／Ｏ変換器１４Ａ、１４Ｂ、１４Ｃ、１４Ｄの中から特定する。
ステップＳ１０８において、制御部１７はステップＳ１０６で受け取った電気信号がステップＳ１０７で特定されたＥ／Ｏ変換器に入力されるように電気スイッチ１８を制御する。これによって、ステップＳ１０６で制御部１７が受け取った電気信号がステップＳ１０７で特定されたＥ／Ｏ変換器へ出力されることになる。但し、他の接続機器１１によりステップＳ１０７で特定されたＥ／Ｏ変換器が、即ち送信先に対応するＥ／Ｏ変換器が使用されている場合、送信情報をコントローラ５内の不図示のメモリに一時保存し、一定時間経過後再度送信先に対応するＥ／Ｏ変換器へ電気信号を送出する処理を行う。
【００４１】
ステップＳ１０９において、Ｅ／Ｏ変換器１４Ａ、１４Ｂ、１４Ｃ、１４ＤのうちステップＳ１０８で電気信号が入力されたＥ／Ｏ変換器は、入力された電気信号を光信号に変換し、変換後の光信号を合波器１５へ出力する。
ステップＳ１１０において、合波器１５はステップＳ１０９でＥ／Ｏ変換器１４Ａ、１４Ｂ、１４Ｃ、１４Ｄの少なくとも一つから受け取った光信号を合波して、合波後の光信号をネットワーク光ファイバ３へ出力する。
【００４２】
以上、ステップＳ１０５からステップＳ１１０の一連の処理により、送信元のノード４がネットワーク光ファイバ３へ出力した光信号が当該光信号に含まれるアドレス情報に対応する送信先のノード４に予め割り当てられた波長の光信号に変換されて、変換後の光信号がコントローラ５の合波器１５からネットワーク光ファイバ３へ出力される。
【００４３】
ステップＳ１１１において、コントローラ５によってネットワーク光ファイバ３へ出力された光信号はコントローラ５と送信先のノード４間に存在するノード４をスルーし、送信先のノード４に到達する。
【００４４】
ステップＳ１１２において、送信先のノード４内のファイバグレーティング６はネットワーク光ファイバ３を伝送中の光信号から当該送信先のノード４に予め割り当てられた波長の光信号を取り出し、取り出した光信号をＯ／Ｅ変換器７へ出力する。
ステップＳ１１３において、Ｏ／Ｅ変換器７はステップＳ１１２でファイバグレーティング６から受け取った光信号を電気信号に変換し、変換後の電気信号をＩ／Ｆボード１０を介して接続機器１１へ出力する。
ステップＳ１１４において、接続機器１１はステップＳ１１３でＩ／Ｆボード１０を介して受け取った電気信号に関する情報を表示したり、電気信号をメモリに格納したりなど、受け取った電気信号に対して予め定められた処理を行う。
【００４５】
以上、ステップＳ１１２からステップＳ１１４の一連の処理により、送信先のノード４は自ノード宛の光信号をネットワーク光ファイバ３から取り出し、取り出した光信号が電気信号に変換されて、接続機器１１において電気信号に対して予め定められた処理が行われる。
上述したステップ１０１からステップＳ１１４の一連の処理により送信元の接続機器１１から送信先の接続機器１１へ情報が転送されることになる。
【００４６】
さらに、上述した接続機器間のデータ転送処理の一例として、ノード４Ａに接続された接続機器１１Ａからノード４Ｄに接続された接続機器１１Ｄにデータが転送される場合を説明する。
【００４７】
ノード４Ａに接続された接続機器１１Ａによりノード４Ｄに接続された接続機器１１Ｄへ送信する送信情報（送信先のアドレス情報を含む）に関する電気信号が作成され、作成された電気信号がＩ／Ｆボード１０Ａを介してＥ／Ｏ変換器８Ａへ出力される（ステップＳ１０１）。この電気信号はＥ／Ｏ変換器８Ａによって波長λＡの光信号に変換され、変換後の光信号が結合器９Ａへ出力される（ステップＳ１０２）。そして、変換後の光信号が結合器９によってネットワーク光ファイバ３へ出力される（ステップＳ１０３）。
【００４８】
ノード４Ａによってネットワーク光ファイバ３へ出力された波長λＡの光信号はノード４Ａとコントローラ５間に存在するノード４Ｂ、４Ｃ、４Ｄをスルーし、コントローラ５に到達する（ステップＳ１０４）。
【００４９】
コントローラ５に到達した波長λＡの光信号は分波器１２によってＯ／Ｅ変換器１３Ａへ出力される（ステップＳ１０５）。波長λＡの光信号は、Ｏ／Ｅ変換器１３Ａによって電気信号に変換され、変換後の電気信号は制御部１７へ出力される（ステップＳ１０６）。
【００５０】
制御部１７はＯ／Ｅ変換器１３Ａから受け取った電気信号に含まれるアドレス情報を解析し、メモリ１６に格納されている情報及び解析されたアドレス情報を基に電気信号に含まれるアドレス情報に対応するＥ／Ｏ変換器１４Ｄを特定する（ステップＳ１０７）。そして、制御部１７は電気信号がＥ／Ｏ変換器１４Ｄに入力されるように電気スイッチ１８を制御し、電気信号がＥ／Ｏ変換器１４Ｄへ出力される（ステップＳ１０８）。
【００５１】
電気信号がＥ／Ｏ変換器１４Ｄによって波長λＤの光信号に変換され、変換後の光信号が合波器１５へ出力される（ステップＳ１０９）。そして、波長λＤの光信号は合波器１５によってネットワーク光ファイバ３へ出力される（ステップＳ１１０）。
【００５２】
コントローラ５の合波器１５によってネットワーク光ファイバ３へ出力された波長λＤの光信号はコントローラ５と送信先のノード４Ｄ間に存在するノード４Ａ、４Ｂ、４Ｃをスルーし、送信先のノード４Ｄに到達する（ステップＳ１１１）。
【００５３】
ノード４Ｄに到達した波長λＤの光信号はファイバグレーティング６Ｄによって取り出され、取り出された光信号がＯ／Ｅ変換器７Ｄへ出力される（ステップＳ１１２）。そして、波長λＤの光信号がＯ／Ｅ変換器７Ｄによって電気信号に変換され、変換後の電気信号がＩ／Ｆボード１０Ｄを介して接続機器１１Ｄへ出力される（ステップＳ１１３）。そして、接続器１１Ｄによってこの電気信号に対して所定の処理が行われる（ステップＳ１１４）。
このようにして、送信元の接続機器１１Ａから送信先の接続機器１１Ｄへ情報が転送されることになる。
【００５４】
次に、上述した光ネットワークシステム１における接続機器１１から外部装置（外部光ファイバ２を介してコントローラ５が接続されている装置）へのデータ転送処理について図５を参照しつつ説明する。但し、図５は光ネットワークシステム内のノードに接続された接続機器から外部装置へのデータ転送処理を示すフローチャートである。
【００５５】
ステップＳ２０１において、送信元のノード４に接続された接続機器１１により外部へ送信する送信情報（外部用のアドレス情報を含む）に関する電気信号が作成され、作成された電気信号がＩ／Ｆボード１０を介してＥ／Ｏ変換器８へ出力される。
ステップＳ２０２及びステップＳ２０３において、ステップＳ１０２及びステップＳ１０３と実質的に同様の処理が行われて、Ｉ／Ｆボード１０を介して受け取った電気信号がＥ／Ｏ変換器８によって送信元のノードに予め割り当てられた波長の光信号に変換され、変換後の光信号が結合器９を介してネットワーク光ファイバ３へ出力される。
【００５６】
ステップＳ２０４において、送信元のノード４によってネットワーク光ファイバ３へ出力された光信号は送信元のノード４とコントローラ５間に存在するノード４をスルーし、コントローラ５に到達する。
【００５７】
ステップＳ２０５及びステップＳ２０６において、ステップＳ１０５及びステップＳ１０６と実質的に同様の処理が行われて、コントローラ５がネットワーク光ファイバ３を介して受け取った光信号が分波器１２により波長ごとに分波され、分波された光信号が当該光信号の波長に対応するＯ／Ｅ変換器１３Ａ、１３Ｂ、１３Ｃ、１３Ｄにより電気信号に変換されて、変換後の電気信号が制御部１７へ出力される。
【００５８】
ステップＳ２０７において、制御部１７はＯ／Ｅ変換器１３Ａ、１３Ｂ、１３Ｃ、１３Ｄの少なくとも一つから受け取った電気信号に含まれるアドレス情報を解析し、メモリ１６に格納されている情報及び解析されたアドレス情報を基に電気信号に含まれるアドレス情報（外部用のアドレス情報）に対応するＥ／Ｏ変換器１４ＯＵＴを特定する。
ステップＳ２０８において、制御部１７は制御部１７が受け取った電気信号がステップＳ２０７で特定したＥ／Ｏ変換器１４ＯＵＴに入力されるように電気スイッチ１８を制御する。これによって、制御部１７が受け取った電気信号がステップＳ２０７で特定したＥ／Ｏ変換器１４ＯＵＴへ出力されることになる。但し、他の接続機器１１によりＥ／Ｏ変換器１４ＯＵＴが使用されている場合、送信情報をコントローラ５内の不図示のメモリに一時保存し、一定時間経過後再度電気信号をＥ／Ｏ変換器１４ＯＵＴへ送出する処理を行う。
【００５９】
ステップＳ２０９において、Ｅ／Ｏ変換器１４ＯＵＴはステップＳ２０８で制御部１７から電気スイッチ１８を介して受け取った電気信号を波長λ０の光信号に変換して、変換後の光信号を外部光ファイバ２へ出力する。
以上、ステップＳ２０５からステップＳ２０９の一連の処理により、送信元のノード４がネットワーク光ファイバ３へ出力した光信号が外部通信用の波長λ０の光信号に変換さ
れ、変換後の光信号が外部光ファイバ２へ出力される。
上述したステップ２０１からステップＳ２０９の一連の処理により送信元の接続機器１１から光ネットワークシステム１の外部へ情報が転送されることになる。
【００６０】
さらに、上述した接続機器から外部装置へのデータ転送処理の一例として、ノード４Ａに接続された接続機器１１Ａから外部装置へデータが転送される場合を説明する。
ノード４Ａに接続された接続機器１１Ａにより外部へ送信する送信情報（外部用のアドレス情報を含む）に関する電気信号が作成され、作成された電気信号がＩ／Ｆボード１０Ａを介してＥ／Ｏ変換器８Ａへ出力される（ステップＳ２０１）。この電気信号はＥ／Ｏ変換器８Ａによって波長λＡの光信号に変換され、変換後の光信号が結合器９Ａへ出力される（ステップＳ２０２）。そして、変換後の光信号が結合器９によってネットワーク光ファイバ３へ挿入される（ステップＳ２０３）。
【００６１】
ノード４Ａによってネットワーク光ファイバ３へ出力された波長λＡの光信号はノード４Ａとコントローラ５間に存在するノード４Ｂ、４Ｃ、４Ｄをスルーし、コントローラ５に到達する（ステップＳ２０４）。
【００６２】
コントローラ５に到達した波長λＡの光信号は分波器１２によってＯ／Ｅ変換器１３Ａへ出力される（ステップＳ２０５）。この波長λＡの光信号は、Ｏ／Ｅ変換器１３Ａによって電気信号に変換され、変換後の電気信号は制御部１７へ出力される（ステップＳ２０６）。
【００６３】
制御部１７はＯ／Ｅ変換器１３Ａから受け取った電気信号に含まれるアドレス情報を解析し、メモリ１６に格納されている情報及び解析されたアドレス情報を基にアドレス情報（外部用のアドレス情報）に対応するＥ／Ｏ変換器１４ＯＵＴを特定する（ステップＳ２０７）。そして、制御部１７は電気信号がＥ／Ｏ変換器１４ＯＵＴに入力されるように電気スイッチ１８を制御し、電気信号がＥ／Ｏ変換器１４ＯＵＴへ出力される（ステップＳ２０８）。
【００６４】
電気信号がＥ／Ｏ変換器１４ＯＵＴによって波長λ０の光信号に変換され、変換後の光信号が外部光ファイバ２へ出力される（ステップＳ２０９）。
このようにして、送信元の接続機器１１Ａから光ネットワークシステム１の外部へ情報が転送されることになる。
【００６５】
次に、上述した光ネットワークシステム１における外部装置から接続機器１１へのデータ転送処理について図６を参照しつつ説明する。但し、図６は光ネットワークシステムの外部から光ネットワークシステム内のノードに接続された接続機器へのデータ転送処理を示すフローチャートである。
【００６６】
ステップＳ３０１において、コントローラ５は外部光ファイバ２を介して光信号を受け取り、コントローラ５内のＯ／Ｅ変換器１３ＩＮは外部光ファイバ３を介して受け取った光信号を電気信号に変換して、変換後の電気信号を制御部１７へ出力する。
【００６７】
ステップＳ３０２、ステップＳ３０３、ステップ３０４、及びステップＳ３０５において、夫々、ステップＳ１０７、ステップＳ１０８、ステップＳ１０９、及びステップＳ１１０と実質的に同様の処理が行われる。これにより、電気信号が当該電気信号に含まれるアドレス情報に対応するＥ／Ｏ変換器によって送信先のノード４に予め割り当てられている波長の光信号に変換され、変換後の光信号が合波器１５によってネットワーク光ファイバ３へ出力される。但し、電気信号に含まれるアドレス情報に対応するＥ／Ｏ変換器が既に使用されている場合、送信情報をコントローラ５内の不図示のメモリに一時保存し、一定時間経過後再度電気信号を当該Ｅ／Ｏ変換器へ送出する処理を行う。
【００６８】
ステップＳ３０６において、コントローラ５の合波器１５によってネットワーク光ファイバ３へ出力された光信号はコントローラ５と送信先のノード４間に存在するノード４をスルーし、送信先のノード４に到達する。
【００６９】
ステップＳ３０７、ステップＳ３０８、及びステップＳ３０９において、夫々、ステップＳ１１２、ステップＳ１１３、及びステップＳ１１４と実質的に同様の処理が行われる。これによって、送信先のノード４はネットワーク光ファイバ３を伝送している光信号の中から送信先のノード４に予め割り当てられている波長の光信号を取り出し、取り出した光信号を電気信号に変換し、送信先の接続機器１１で変換後の電気信号に対して予め定められた処理が行われる。
上述したステップ３０１からステップＳ３０９の一連の処理により外部からの信号が送信先の接続機器１１へ転送されることになる。
【００７０】
さらに、上述した外部装置から接続機器へのデータ転送処理の一例として、外部からノード４Ｄに接続された接続機器１１Ｄへデータが転送される場合を説明する。
【００７１】
外部光ファイバ２を介してコントローラ５に到達した波長λ０の光信号はＯ／Ｅ変換器１３ＩＮによって電気信号に変換され、変換後の電気信号は制御部１７へ出力される（ステップＳ３０１）。
【００７２】
制御部１７はＯ／Ｅ変換器１３ＩＮから受け取った電気信号に含まれるアドレス情報を解析し、メモリ１６に格納されている情報及び解析されたアドレス情報を基に電気信号に含まれるアドレス情報に対応するＥ／Ｏ変換器１４Ｄを特定する（ステップＳ３０２）。そして、制御部１７は電気信号がＥ／Ｏ変換器１４Ｄに入力されるように電気スイッチ１８を制御し、電気信号がＥ／Ｏ変換器１４Ｄへ出力される（ステップＳ３０３）。
【００７３】
電気信号がＥ／Ｏ変換器１４Ｄによって波長λＤの光信号に変換され、変換後の光信号が合波器１５へ出力される（ステップＳ３０４）。そして、波長λＤの光信号は合波器１５によってネットワーク光ファイバ３へ出力される（ステップＳ３０５）。
【００７４】
コントローラ５の合波器１５によってネットワーク光ファイバ３へ出力された波長λＤの光信号はコントローラ５と送信先のノード４Ｄ間に存在するノード４Ａ、４Ｂ、４Ｃをスルーし、送信先のノード４Ｄに到達する（ステップＳ３０６）。
【００７５】
ノード４Ｄに到達した波長λＤの光信号はファイバグレーティング６Ｄによって取り出され、取り出された光信号がＯ／Ｅ変換器７Ｄへ出力される（ステップＳ３０７）。そして、波長λＤの光信号がＯ／Ｅ変換器７Ｄによって電気信号に変換され、変換後の電気信号がＩ／Ｆボード１０Ｄを介して接続機器１１Ｄへ出力される（ステップＳ３０８）。そして、接続器１１Ｄによってこの電気信号に対して所定の処理が行われる（ステップＳ３０９）。
このようにして、外部から送信先の接続機器１１Ｄへ情報が転送されることになる。
【００７６】
以上説明した本実施の形態に係る光ネットワークシステムにおいては、各ノード４はネットワーク光ファイバ３を伝送している光信号に対して光信号のまま波長選択性を有するファイバグレーティング６によってノード４内に取り込み、又はノード４内に取り込まないでスルーさせるため、ノード４に接続されている接続機器１１間のデータ転送、外部装置からノード４に接続されている接続機器１１へのデータ転送、ノード４に接続されている接続機器１１から外部装置へのデータ転送の高速化が図られる。又、光通信であるため、通信容量が大きいという利点がある。
【００７７】
又、コントローラ５が受信した光信号（送信元のノード４に割り当てられている波長の光信号）が送信先のノード４に割り当てられた波長の光信号となってコントローラ５からネットワーク光ファイバへ送出されるため、各ノード４は自ノードに割り当てられた一の波長の信号のみを出力することができればノード４に接続されている接続機器１１間のデータ転送を行うことができる。従って、各ノードが他のノードに割り当てられている波長の光信号の全てを発生するように各ノードを構成しなければならないシステムに比べ、本実施の形態に係る光ネットワークシステムはノード装置４のコストを低く抑えることができ、この結果、光ネットワークシステム１全体のコストをも低く抑えることが可能である。又、光ネットワークシステム１の構築後にノード４を新たに追加する場合、追加するノード４のみを増設すればよく、既に設置されているノード４を新たに追加するノード４に割り当てられる波長の光信号を発生することができるように調節する必要はないため、ノード４の数が多くても増設が容易であり、光ネットワークシステムの拡張性に優れている。
【００７８】
更に、結合器９の前に設けられているファイバグレーティング６によりノード４へ送られてくる当該ノード４に割り当てられている波長の光信号が取り出され、結合器９へは他の波長の光信号のみがネットワーク光ファイバ３から入力されることになるため、ノード４のＥ／Ｏ変換器８から結合器９を介して当該ノード４に割り当てられた波長の光信号をネットワーク光ファイバ３へ出力する際に、同じ波長の光信号の衝突が起こることがない。従って、各ノード４を同じ波長の信号の衝突が回避することができるような構成にする必要はなく、ノードの構成が簡単なものとなる。
【００７９】
以上、本発明の好適な実施の形態について説明したが、本発明は上述の実施の形態に限られるものではなく、特許請求の範囲に記載した限りにおいて様々な設計変更が可能なものである。例えば、本発明の実施の形態では、ノードの数が４個の場合であるが、これに限定されるものではなく、ネットワーク光ファイバ３に任意の数のノードを接続することができることはいうまでもない。この場合、ネットワーク光ファイバ３に接続される各ノードに対して互いに異なる波長を割り当て、コントローラ５内の分波器はノード数に対応する波長に分波することができるものに取り替え、Ｏ／Ｅ変換器及びＥ／Ｏ変換器も各ノードに割り当てられた波長の光信号ごとに用意するようにすればよい。
【００８０】
又、コントローラ５は、上記構成に限定されるものではなく、受信した光信号を送信先のノード４に割り当てられている波長の光信号に変換することができる構成であればよい。更に、各ノード４がネットワーク光ファイバ３から取り出す光信号の波長とネットワーク光ファイバ３へ出力する光信号の波長を同じにしている場合であるが、それらの波長を異なるようにしてもよい。
【００８１】
更に、本発明の実施の形態では、ノード４を図２に示すような構成にしたが、図７に示すように、ファイバグレーティング６及び結合器９を備えるノード４０と、Ｏ／Ｅ変換器７及びＥ／Ｏ変換器８を備える変換器５０とに分離して構成するようにしてもよい。部品数が多くなるものの、光信号のまま各種処理を行うことができる機器が普及してきた場合に、現在のような電気信号で処理する機器と光信号で処理する機器とを使用できる光ネットワークシステムを容易に構築することができる。尚、光信号のまま各種処理を行うことができる機器の場合には、Ｏ／Ｅ変換器７及びＥ/Ｏ変換器８を備えた変換器５０は不要であることはいうまでもない。
【図面の簡単な説明】
【００８２】
【図１】本発明の実施の形態に係る光ネットワークシステムの全体構成を示すシステム構成図である。
【図２】図１の光ネットワークシステムを構成するノードの構成図である。
【図３】図１の光ネットワークシステムを構成するコントローラの構成図である。
【図４】図１の光ネットワークスシステムにおけるデータ転送処理を示すフローチャートである。
【図５】図１の光ネットワークシステムにおけるデータ転送処理を示すフローチャートである。
【図６】図１の光ネットワークシステムにおけるデータ転送処理を示すフローチャートである。
【図７】図１に示したノード装置を他の構成で示した図である。
【符号の説明】
【００８３】
１  光ネットワークシステム
２  外部光ファイバ
３  ネットワーク光ファイバ
４、４Ａ、４Ｂ、４Ｃ、４Ｄ  ノード
５  コントローラ
６、６Ａ、６Ｂ、６Ｃ、６Ｄ  ファイバグレーティング
７、７Ａ、７Ｂ、７Ｃ、７Ｄ  Ｏ／Ｅ変換器
８、８Ａ、８Ｂ、８Ｃ、８Ｄ  Ｅ／Ｏ変換器
９、９Ａ、９Ｂ、９Ｃ、９Ｄ  結合器
１０、１０Ａ、１０Ｂ、１０Ｃ、１０Ｄ  Ｉ／Ｆボード
１１、１１Ａ、１１Ｂ、１１Ｃ、１１Ｄ  接続機器
１２  分波器
１３Ａ、１３Ｂ、１３Ｃ、１３Ｄ、１３ＩＮ  Ｏ／Ｅ変換器
１４Ａ、１４Ｂ、１４Ｃ、１４Ｄ、１４ＯＵＴ  Ｅ／Ｏ変換器
１５  合波器
１６  メモリ
１７  制御部
１８  電気スイッチ
【図１】
2004166304.tif 000003
【図２】
2004166304.tif 000004
【図３】
2004166304.tif 000005
【図４】
2004166304.tif 000006
【図５】
2004166304.tif 000007
【図６】
2004166304.tif 000008
【図７】
2004166304.tif 000009
【手続補正書】
【提出日】平成16年2月2日(2004.2.2)
【手続補正２】
【補正対象書類名】明細書
【補正対象項目名】０００１
【補正方法】変更
【補正の内容】
【０００１】
本発明は、光ネットワークシステムに関し、更に詳しくは光波長多重伝送を行う光ネットワークシステム及びこれに使用されるコントローラに関する。
【手続補正３】
【補正対象書類名】明細書
【補正対象項目名】０００８
【補正方法】変更
【補正の内容】
【０００８】
本発明は、高速通信可能な通信容量の大きい光ネットワークシステムにおいて、システム構成が簡易でシステム全体のコストの低い拡張性の優れた光ネットワークシステム及びこれに使用されるコントローラを提供することを目的とする。